(57)【要約】【課題】複数の表示器のうち一部または全部の間における表示品位の差を低減できる表示システムおよびこれを用いたマルチディスプレイを実現する。【解決手段】表示システムＳ１では、劣化量推定部４は、複数の表示器１それぞれを構成する各画素の劣化量を推定し、統合補正量決定部５は、その推定劣化量に基づき、各表示器１における第１補正量を算出し、複数の表示器１の１つを基準表示器として、当該基準表示器の第１補正量に基づいて他の表示器のうち一部または全部の第１補正量を再調整して統合補正量を決定する。また、複数の表示器１とこの表示システムとによりマルチディスプレイを構成する。【選択図】図２
2020021031.tif 000002
【特許請求の範囲】
【請求項１】
自発光素子を有してなる複数の画素により構成され、映像が表示される表示部を有してなる複数の表示器（１）間の輝度補正を行う表示システムであって、
前記複数の画素の劣化量を推定する複数の劣化量推定部（４）と、
前記劣化量推定部により推定された前記劣化量に基づき、前記複数の表示器ごとに前記画素の駆動条件の補正量を決定する統合補正量決定部（５）と、
前記補正量に基づき、前記画素の駆動条件の補正を行う補正部（６）と、を備え、
前記統合補正量決定部は、前記複数の表示器のうち一部または全部の前記表示器を構成する前記複数の画素の前記補正量を決定する際に、当該一部または全部の前記表示器における前記複数の画素の前記劣化量を比較した上で前記劣化量の基準を定める、表示システム。
【請求項２】
前記統合補正量決定部は、所定の前記表示器を基準表示器として、前記基準表示器を構成する前記複数の画素のうち所定の前記画素の前記劣化量に基づいて、前記複数の表示器のうち前記基準表示器と異なる一部または全部の前記表示器を構成する前記複数の画素の前記補正量を決定する、請求項１に記載の表示システム。
【請求項３】
前記統合補正量決定部は、前記複数の表示器のうち一部または全部の前記表示器での前記複数の画素の前記劣化量を平均して得られるものに基づいて、前記複数の表示器のうち一部または全部の前記表示器を構成する前記複数の画素の前記補正量を決定する、請求項１に記載の表示システム。
【請求項４】
前記複数の表示器と、
請求項１ないし３のいずれか１つに記載の表示システムと、を備えるマルチディスプレイ。
【発明の詳細な説明】
【技術分野】
【０００１】
本発明は、複数の表示器間の補正を行う表示システムおよびこれを用いたマルチディスプレイに関する。
【背景技術】
【０００２】
従来、複数のバックライト光源を有してなり、バックライト光源間の輝度を同程度に適宜調整することで、バックライト光源によりなる表示部の輝度差を低減できる液晶表示器として、例えば特許文献１に記載のものが知られている。この液晶表示器は、複数のバックライト光源のうち最も累積通電時間の多い一のバックライト光源の輝度を光センサで測定し、得られた輝度を基準輝度として他のバックライト光源の輝度を基準輝度と同程度となるように調整する構成とされている。
【０００３】
これにより、複数のバックライト光源間の輝度ムラが低減され、各バックライト光源によりなる複数の表示部間の表示品位が均一化された液晶表示器となる。
【先行技術文献】
【特許文献】
【０００４】
【特許文献１】特許第４１８６５２２号公報
【発明の概要】
【発明が解決しようとする課題】
【０００５】
ところで、近年、ディスプレイ分野の技術開発が進んでおり、有機発光ダイオード（ＯＬＥＤ）などの自発光素子を光源とし、表示品位の高い表示器が提案されている。例えば、自発光素子としてＯＬＥＤが採用された表示装置であるＯＬＥＤパネルは、一般的な解像度の場合、１９２０×１０８０×３個の自発光素子によりなる画素（光源）を有する構成とされる。
【０００６】
このようなＯＬＥＤパネルにおいて画素間の輝度差を低減する補正（以下「輝度補正」という）を行うためには、上記の液晶表示器のように、各光源のうち最も累積通電時間の多いものの輝度測定を行い、基準輝度として設定する方法は採用することができない。これは、１つの表示部が膨大な数の画素により構成されており、最も累積通電時間の多い画素の輝度を測定することが困難であるためである。
【０００７】
そこで、ＯＬＥＤパネルにて輝度補正を行う方法としては、光源である各画素の劣化量を階調（通電量）、発光させた時間、温度などの駆動履歴に基づいて算出し、各画素が所定の輝度となるように駆動条件を補正する方法が提案されている。これにより、複数の画素を有してなる１つの表示部を有してなるＯＬＥＤパネルにて、輝度測定を行うことなく、複数の画素間の輝度を同程度に調整することが可能となる。
【０００８】
また、歩留まりや製造コストの観点からＯＬＥＤパネルの大型化が難しいため、近年、複数のＯＬＥＤパネルを有してなる表示システムが提案されている。このような表示システムでは、１つのＯＬＥＤパネルにおける表示品位の維持だけでなく、各ＯＬＥＤパネル間における表示品位の維持が求められる。しかしながら、上記の方法は、１つのＯＬＥＤパネルにおける表示品位の維持ができるに過ぎない。
【０００９】
本発明は、上記の点に鑑みてなされたものであり、自発光素子を画素として有してなる複数の表示器のうち一部または全部の間における表示品位の差を低減することが可能な表示システムおよびこれを用いたマルチディスプレイを低減することを目的とする。
【課題を解決するための手段】
【００１０】
上記目的を達成するため、請求項１に記載の表示システムは、自発光素子を有してなる複数の画素により構成され、映像が表示される表示部を有してなる複数の表示器（１）間の輝度補正を行う表示システムであって、複数の画素の劣化量を推定する複数の劣化量推定部（４）と、劣化量推定部により推定された劣化量に基づき、複数の表示器ごとに画素の駆動条件の補正量を決定する統合補正量決定部（５）と、補正量に基づき、画素の駆動条件の補正を行う補正部（６）と、を備える。このような構成において、統合補正量決定部は、複数の表示器のうち一部または全部の表示器を構成する複数の画素の補正量を決定する際に、当該一部または全部の表示器における複数の画素の劣化量を比較した上で劣化量の基準を定める。
【００１１】
これによれば、複数の表示器のうち一部または全部の表示器の間において、該表示器間の輝度バラツキに起因する表示品位の差が生じたとしても、当該一部または全部の表示器における複数の画素の劣化量を比較考慮した上で、各画素の駆動条件の補正が実行される。そのため、自発光素子を画素として有してなる複数の表示器のうち一部または全部の間における表示品位の差を低減することが可能な表示システムとなる。
【００１２】
また、自発光素子を有してなる複数の画素により構成された複数の表示器と、上記の表示システムとを組み合わせることで、一部または全部の表示器間の表示品位の差が低減されたマルチディスプレイとなる。
【００１３】
なお、各構成要素等に付された括弧付きの参照符号は、その構成要素等と後述する実施形態に記載の具体的な構成要素等との対応関係の一例を示すものである。
【図面の簡単な説明】
【００１４】
【図１】第１実施形態の表示システムを備える車載用マルチディスプレイの構成例を示すブロック図である。
【図２】図１に示す表示システムの構成例を示すブロック図である。
【図３】図１の表示システムの動作例を示すフローチャートである。
【図４】複数の表示器の配置例を示す平面レイアウト図であって、（ａ）はすべての表示器が連続的に繋がる配置例、（ｂ）は一部の表示器が他の表示器と離れた配置例、（ｃ）はすべての表示器それぞれが離れた配置例である。
【図５】統合補正処理の一例を示す模式図であって、（ａ）は第１表示器における補正、（ｂ）は第２表示器における補正、（ｃ）は第ｎ表示器における補正である。
【図６】第２実施形態における統合補正処理の一例を示す模式図であって、（ａ）、（ｂ）、（ｃ）は、それぞれ第１表示器、第２表示器、第ｎ表示器における補正である。
【図７】第３実施形態における統合補正処理の一例を示す模式図であって、（ａ）、（ｂ）、（ｃ）は、それぞれ第１表示器、第２表示器、第ｎ表示器における補正である。
【発明を実施するための形態】
【００１５】
以下、本発明の実施形態について図に基づいて説明する。なお、以下の各実施形態相互において、互いに同一もしくは均等である部分には、同一符号を付して説明を行う。
【００１６】
（第１実施形態）
第１実施形態の表示システムＳ１について、図１、図２を参照して述べる。表示システムＳ１は、例えば図１に示すように、複数の表示器１を有するマルチディスプレイにおける輝度補正に適用されると好適である。本実施形態では、図１に示すように、車載用途のマルチディスプレイに表示システムＳ１が適用された例について説明するが、表示システムＳ１は、勿論、他の用途に用いられることもできる。
【００１７】
まず、本実施形態の表示システムＳ１が適用される車載用マルチディスプレイの構成例について説明する。
【００１８】
車載用マルチディスプレイは、例えば図１に示すように、複数の表示器１と、表示システムＳ１と、車載カメラ１００と、映像入力部１０１と、スピーカー１０２とを有してなる。
【００１９】
表示器１は、例えば、自発光素子およびこれを駆動するための薄膜トランジスタを有してなる複数の画素を備え、映像入力部１０１による映像信号に基づいて各種映像を表示するものである。表示器１は、自発光素子としてＯＬＥＤが採用された場合には、「ＯＬＥＤパネル」と称され得る。このマルチディスプレイでは、複数の表示器１を有した構成とされるが、表示器１の数は任意である。複数の表示器１は、例えば図１に示すように、それぞれ表示システムＳ１に接続されており、表示システムＳ１により後述する駆動条件の補正が行われる。
【００２０】
以下の説明において、図１に示すように、複数の表示器１を区別するため、表示器１の数をｎ（ｎ：２以上の自然数）として、これらの表示器１を便宜的に「第１表示器１１」、「第２表示器１２」、「第ｎ表示器１ｎ」と称する。なお、図１では、ｎが３以上の自然数である場合について示すと共に、表示器１１、１２、１ｎ以外の表示器１については省略している。
【００２１】
なお、本実施形態では、表示器１がＯＬＥＤパネルとされた例について説明するが、ＯＬＥＤ素子やＯＬＥＤパネルの構成などは公知であるため、本明細書では、これらの詳細な説明を省略する。
【００２２】
表示システムＳ１は、例えば、図１に示すように、複数の表示器１のほか、車載カメラ１００、映像入力部１０１やスピーカー１０２などの外部機器に接続されており、映像信号や音声信号などの電気信号のやり取りが行われる。
【００２３】
なお、映像入力部１０１は、車載用途の場合には、例えばカーナビゲーションシステムや車両情報を取得するための各種センサなどの任意の電子機器とされる。また、車載カメラ１００、映像入力部１０１やスピーカー１０２などの表示システムＳ１に接続される外部機器は、あくまで一例であり、これらに限定されるものではなく、適宜変更されてもよい。
【００２４】
〔表示システムＳ１の構成〕
次に、本実施形態の表示システムＳ１の具体的な構成について、図２を参照して説明する。
【００２５】
表示システムＳ１は、例えば、図２に示すように、複数の通電時間取得部２と、複数の温度情報取得部３と、複数の劣化量推定部４と、統合補正量決定部５と、複数の補正部６とを有してなる。表示システムＳ１は、例えば、ＣＰＵやＲＯＭ、ＲＡＭ、不揮発性ＲＡＭなどを有して構成されるＥＣＵ（Electronic Control Unitの略）などの電子制御ユニットとされる。表示システムＳ１は、例えば、後述する劣化量推定や駆動条件の補正などに対応する各種プログラムが図示しないＲＯＭなどの記憶部に格納され、ＣＰＵが当該プログラムを読み込んで実行する構成とされる。
【００２６】
以下、図２に示すように、表示システムＳ１を構成する複数の構成要素である、通電時間取得部２、温度情報取得部３、劣化量推定部４および補正部６の数が、表示器１の数ｎ（ｎ：２以上の自然数）と同じである場合について説明する。
【００２７】
また、区別するために、通電時間取得部２については、図２に示すように、それぞれ「第１通電時間取得部２１」、「第２通電時間取得部２２」、「第ｎ通電時間取得部２ｎ」と称する。さらに、温度情報取得部３については、それぞれ「第１温度情報取得部３１」、「第２温度情報取得部３２」、「第ｎ温度情報取得部３ｎ」と称する。同様に、劣化量推定部４については、「第１劣化量推定部４１」、「第２劣化量推定部４２」、「第ｎ劣化量推定部４ｎ」と称し、補正部６については、それぞれ「第１補正部６１」、「第２補正部６２」、「第ｎ補正部６ｎ」と称する。また、第１表示器１１、第１通電時間取得部２１、第１温度情報取得部３１、第１劣化量推定部４１および第１補正部６１が１つのユニットを構成しており、第２ないし第ｎの各構成要素についても同様にそれぞれ１つのユニットを構成している。また、各ユニットに対応する各種電気信号についても、図２に示すように、「第１映像信号」、「第２映像信号」、「第ｎ映像信号」と称し、「第１温度信号」、「第２温度信号」、「第ｎ温度信号」と称している。
【００２８】
通電時間取得部２は、表示器１に表示させる映像に対応する映像信号と図示しないタイマーなどの時間計測部からの電気信号に基づき、表示器１を構成する各画素の通電時間についての情報を取得する。通電時間取得部２は、図２に示すように、取得した各画素の通電時間の情報を劣化量推定部４に伝送する。通電時間取得部２の数は、任意であるが、本実施形態では表示器１の数と同じである。この場合、図２に示すように、第１通電時間取得部２１は、第１表示器１１を構成する各画素の通電時間情報を取得し、第１劣化量推定部４１に電気信号を出力する。
【００２９】
温度情報取得部３は、図示しない外部の温度センサなどにより表示器１の表示部における温度に対応する電気信号、すなわち温度信号に基づき、表示器１の表示部についての温度情報を取得する。温度情報取得部３は、取得した表示器１の温度情報を劣化量推定部４に伝送する。なお、表示器１の表示部の温度計測を行う図示しない外部の温度計測部（例えば温度センサなど）は、任意の箇所に取り付けられる。
【００３０】
劣化量推定部４は、通電時間取得部２および温度情報取得部３から得られた情報に基づき、表示器１の各画素の劣化度合い、すなわち劣化量を推定する。具体的には、例えば、劣化量推定部４は、図示しないＲＯＭに格納された画素の劣化量を算出するプログラムを読み込み、画素ごとに累積した通電時間および温度履歴を元にその劣化量を算出する。劣化量推定部４は、図２に示すように、各画素の推定した劣化量の情報を統合補正量決定部５に伝送する。
【００３１】
なお、ＯＬＥＤ素子の劣化量は、例えば公知のＯＬＥＤの推定寿命方法で用いられる下記の（１）式を推定劣化曲線として用いることで推定され得る。
【００３２】
Ｌ＝α０×ｅｘｐ（−ｔ×β０）＋α１×ｅｘｐ（−ｔ×β１）・・・（１）
この（１）式は、ＯＬＥＤの劣化を劣化量（すなわち輝度低下量）の大きい初期劣化とその後の劣化量の小さい通常劣化との２つの成分に分けて得られる公知の理論式である。また、（１）式では、Ｌは輝度、α０、β０は初期劣化における係数、α１、β１は初期劣化後の通常劣化における係数、ｔは経過時間である。
【００３３】
画素を構成するＯＬＥＤ素子を所定の定電流で駆動した際における、当該ＯＬＥＤ素子の輝度の経時変化の実測値を上記の（１）式に適用して各種係数を算出することで、経過時間と画素の輝度との関係を示す推定劣化曲線を予め作成する。このとき、ＯＬＥＤ素子について、初期輝度に対応する加速係数や環境温度に対応する加速係数を算出し、電流量や環境温度に対応する各種の推定劣化曲線を作成する。このようにして得られた各種推定劣化曲線のデータを図示しないＲＯＭなどに記憶させておき、計測された各画素の経過時間や温度を推定劣化曲線に適用する。これにより、累積通電時間や温度履歴またはこれらを総合した要因による各画素の劣化度合いを推定できる。なお、各画素の劣化量の推定は、上記した方法に限定されるものではなく、他の公知の方法が採用されてもよい。
【００３４】
統合補正量決定部５は、複数の表示器１のうち一部または全部の間における表示品位の差を低減するため、後述する複数の補正部６のうち一部または全部の間における補正量の決定を行う。
【００３５】
具体的には、統合補正量決定部５は、各劣化量推定部４により推定された、各表示器１を構成する各画素の劣化量に基づき、各補正部６で実行される駆動条件の補正量を決定する。そして、統合補正量決定部５は、複数の表示器１のうち一部または全部の表示器１間の表示品位の差を低減するため、例えば各表示器１のうちの１つを基準とし、当該１つの表示器１における所定の画素の推定劣化量に基づき、他の表示器１での補正量決定を行う。
【００３６】
なお、統合補正量決定部５による補正量決定は、所定の画素の推定劣化量を基準に行われるのに限られず、所定の表示器１の各画素の推定劣化量を平均したものを基準に行われてもよいし、他の推定劣化量を基準に行われてもよい。
【００３７】
以下、説明の簡略化のため、統合補正量決定部５で決定される他の表示器１での補正量を「統合補正量」と称する。また、統合補正量決定部５による統合補正量の決定において、複数の表示器１のうち一部または全部の表示器１であって、表示品位の差を低減するための統合補正の基準とされる１つの表示器１を便宜的に「基準表示器」と称する。さらに、基準表示器により統合補正が行われる表示器１を便宜的に「対象表示器」と称する。
【００３８】
つまり、統合補正量決定部５は、本実施形態では、複数の表示器１のうち１つの表示器１を基準表示器として定め、これを基準として対象表示器の補正量を再調整することで、基準表示器と対象表示器との間の表示品位を同程度に合わせる役割を果たす。言い換えると、統合補正量決定部５は、劣化量推定部４による推定劣化量に基づいて算出した各表示器１の補正量を「第１補正量」として、基準表示器の第１補正量に基づき、対象表示器の第１補正量を再調整して第２補正量、すなわち統合補正量を決定する。統合補正量決定部５が決定した各表示器１における補正量は、図２に示すように、各補正部６に伝送される。なお、統合補正量決定部５による統合補正量の決定の詳細については、後述する。
【００３９】
補正部６は、統合補正量決定部５により算出された第１補正量または統合補正量に基づいて、個々の表示器１での画素間の輝度差を低減するために、各画素の駆動条件の補正を行う。つまり、補正部６は、第１補正量または統合補正量に基づいて、各表示器１での輝度補正を行う。各画素の駆動条件の補正としては、例えば、各画素が初期輝度と同程度の輝度となるように電流量（階調）を調整することが考えられる。また、補正の方法としては、初期輝度から輝度が低下した各画素のうち１つの画素を基準とし、他の画素の輝度を基準とした画素と同程度の輝度になる電流量に調整する方法でもよいし、他の任意の方法が採用されてもよい。
【００４０】
以下の説明において、補正部６が統合補正量に基づいて実行する補正を「統合補正」と称する。
【００４１】
〔動作例〕
次に、表示システムＳ１の動作例について、図３、図４を参照して説明する。
【００４２】
表示システムＳ１は、例えば自動車のイグニッションがＯＮの状態にされ、複数の表示器１がＯＮの状態となると、図３に示す動作を開始する。
【００４３】
ステップＳ３０１では、車載カメラ１００や映像入力部１０１により映像信号が表示システムＳ１に入力される。続いて、ＣＰＵは、処理をステップＳ３０２に進める。ステップＳ３０２では、複数の通電時間取得部２が映像信号および図示しない時間計測部により得られた時間情報に基づき、複数の表示器１それぞれにおける各画素の累積通電時間を取得する。その後のステップＳ３０３では、複数の温度情報取得部３が複数の表示器１における表示部の温度情報を取得する。
【００４４】
なお、ステップＳ３０２の後にステップＳ３０３が実行される例について説明したが、この順序が逆であってもよいし、同時に実行されてもよい。
【００４５】
次いで、ステップＳ３０４では、劣化量推定部４がステップＳ３０２で得られた累積通電時間およびステップＳ３０３で得られた温度情報に基づき、複数の表示器１それぞれの各画素の劣化量を推定する。そして、統合補正量決定部５は、推定劣化量に基づき、各画素の第１補正量を算出する。続いて、ＣＰＵは、処理をステップＳ３０５に進める。
【００４６】
ステップＳ３０５では、統合補正量決定部５は、複数の表示器１のうち一部または全部の間における統合補正が必要か否かを判定する。統合補正が必要と判定された場合、すなわちステップＳ３０５でＹＥＳの場合、ＣＰＵは、処理をステップＳ３０６に進める。
【００４７】
ここで、統合補正を実行するか否かを判断する基準の一例について、図４を参照して説明する。
【００４８】
図４（ａ）〜図４（ｃ）では、説明の簡略化のため、表示システムＳ１が搭載される車両の左右方向およびこれに直交する上下方向を便宜的に矢印で定義している。図４（ａ）では、例えば、４つの表示器１１〜１４が繋がるように連続して配置され、第１表示器１１から第４表示器１４の順に、電子ミラー、ＣＩＤ（センターインフォメーションディスプレイ）、メータ、電子ミラーとして用いられた例を示している。さらに、図４（ａ）は、第１表示器１１が車両左側の映像を映す電子ミラーとされ、第４表示器１４が車両右側の映像を映す電子ミラーとされた例を示している。
【００４９】
例えば図４（ａ）に示すように、ユーザがＣＩＤとして用いられる第２表示器１２を見ているとき、ユーザの視界にはメータとして用いられる第３表示器１３が入り得る。このとき、第２表示器１２の各画素と第３表示器１３の各画素との間に所定以上の輝度差、すなわち表示品位の差があると、ユーザが違和感を覚え、視認性が低下してしまう。そこで、表示品位を同程度に合わせてこのような不具合を抑制するために、第２表示器１２と第３表示器１３との間での統合補正を行う。
【００５０】
なお、ここでいう「表示品位を同程度に合わせる」とは、表示器１間の輝度バラツキを所定の値以下とし、人の視覚上での違和感をなくすことを意味する。この所定の値は、仕様などに応じて適宜変更される。
【００５１】
一方、図４（ａ）に示す例では、ユーザが第１表示器１１の電子ミラーおよび第４表示器１４の電子ミラーを同時に見ることが想定され難い。このように、同時にユーザの視界に入ることが想定されにくい表示器１同士については、それらの表示品位に差があっても特段の支障がないため、統合補正が実行されなくてもよい。
【００５２】
なお、複数の表示器１の数や配置については、任意であり、図４（ａ）に示す例に限定されるものではない。例えば図４（ｂ）のように、紙面左右方向において、左から順に、第１表示器１１、第２表示器１２、第３表示器１３、第４表示器１４がこの順に配置され、第２表示器１２の下側に第５表示器１５が配置されている場合でも同様の考え方で統合補正され得る。つまり、ＣＩＤとして使用される第２表示器１２、第５表示器１５およびメータとして使用される第３表示器１３が統合補正され、電子ミラーとして使用される第１表示器１１、第４表示器１４が、これらとは独立して個々に補正されてもよい。また、図４（ｃ）で示すように、図４（ｂ）での表示器１１〜１５が互いに離れて配置された場合であっても同様の考え方に基づき、統合補正を実行するか否かが決定され得る。
【００５３】
また、上記では、複数の表示器１の配置によって統合補正量の決定を行う対象を決める例について説明したが、表示器１が表示する映像の種類、すなわち映像の意匠に応じて統合補正量決定の対象を決めてもよい。例えば、ＣＩＤとして使用される表示器１同士やメータとして使用される表示器１同士を統合補正の対象としてもよいし、配置および意匠の種類などにより総合的に統合補正の対象を決定してもよい。このように、統合補正の対象については、任意の指標で決定されてもよい。
【００５４】
ステップＳ３０６では、統合補正量決定部５は、複数の表示器１のうち上記のような方法で決定された統合補正の対象となる対象表示器について、統合補正量を決定する。具体的には、統合補正量決定部５は、複数の表示器１のうち１つを基準表示器とし、その各画素の推定劣化量に基づき、他の対象表示器の第１補正量をさらに補正して第２補正量、すなわち統合補正量を決定する。その後、ＣＰＵは、処理をステップＳ３０７に進める。
【００５５】
ステップＳ３０７では、統合補正量決定部５により決定された統合補正量に基づき、各補正部６が各表示器１における各画素の駆動条件の補正を行う。その後、ＣＰＵは、処理をステップＳ３０８に進める。
【００５６】
一方、ステップＳ３０５にて統合補正が不要と判定された場合、すなわちステップＳ３０５でＮＯの場合、ＣＰＵは、処理をステップＳ３０９に進める。ステップＳ３０９では、統合補正量決定部５は、各表示器１の各画素の推定された劣化量に基づいて算出した第１補正量をそのまま各補正部６に伝送する。ステップＳ３１０では、各補正部６は、統合補正量決定部５で算出された第１補正量に基づき、各表示器１における各画素の駆動条件の補正を行う。つまり、ステップＳ３１０では、各補正部６は、他の表示器１の劣化状況に左右されることなく、個々の表示器１についてそれぞれ独立した駆動条件の補正、すなわち個別補正を実行する。その後、ＣＰＵは、処理をステップＳ３０８に進める。
【００５７】
なお、個別補正は、１つの表示器１において、当該１つの表示器１を構成する各画素が、他の表示器１での各画素の劣化量に影響されることなく、当該１つの表示器１内の輝度バラツキを低減するための補正とも言える。
【００５８】
ステップＳ３０８では、各表示器１は、映像信号および統合補正または個別補正により補正された駆動条件に基づき、各画素を駆動（発光）させて各種映像を表示する。
【００５９】
表示システムＳ１は、例えば、図３に示すように、各表示器１がＯＦＦの状態とされるまで所定の間隔でステップＳ３０１〜ステップＳ３０８までの動作処理を繰り返す。
【００６０】
〔統合補正〕
次に、統合補正量決定部５による統合補正の一例について、図５を参照して説明する。
【００６１】
図５では、経過時間と任意の初期輝度に対する各画素の輝度の割合を示す相対輝度との関係を示しており、ある経過時間ｔにおける各画素の相対輝度を白抜きの丸印で、各画素の推定劣化曲線を平均したもの（以下「平均劣化曲線」という）を実線で示している。また、図５では、（ｂ）に示す第２表示器１２を統合補正の基準である基準表示器とし、（ａ）、（ｃ）に示す他の表示器１においては、基準表示器の平均劣化曲線を破線で示すと共に、各画素の補正による相対輝度の調整方向を白抜き矢印で示している。
【００６２】
なお、ここでいう「経過時間」とは、単に、各表示器１がＯＮ状態とされてから経過した時間を指し、画素ごとに駆動した時間を累積した累積駆動時間とは別の概念である。また、図５では、相対輝度が低い画素ほどその劣化量が大きいことを意味する。
【００６３】
図５（ａ）〜図５（ｃ）では、各表示器１のうちその平均劣化曲線が最も低いもの、すなわちその劣化量が大きい第２表示器１２を基準表示器とし、その平均劣化曲線を基準カーブとして、他の表示器１の統合補正を実行した例を示している。具体的には、第２表示器１２では、第２表示器１２を構成する各画素については、図５（ｂ）に示すように、その平均劣化曲線上の相対輝度を基準とし、この輝度となるように補正量が決定される。複数の表示器１のうち第２表示器１２と異なる対象表示器では、対象表示器を構成する各画素については、図５（ａ）、（ｃ）に示すように、基準表示器の平均劣化曲線上の相対輝度と同等の輝度になるように補正量が決定される。
【００６４】
これにより、各表示器１にてその表示器１内での輝度バラツキが低減されると共に、基準表示器と対象表示器との間の輝度バラツキについても低減され、その表示品位を同程度に合わせることができる。また、最も平均劣化曲線が低い表示器１の平均劣化曲線を基準とし、これに合わせて他の表示器１の各画素の補正を実行するため、他の表示器１の各画素の駆動による負荷が低減され、長寿命化することが期待される。さらに、輝度バラツキの低減による見栄えの改善や消費電力の低減の効果も期待される。
【００６５】
本実施形態によれば、自発光素子を画素とする複数の表示器１のうち一部または全部の間における表示品位の差を低減することが可能な表示システムＳ１となる。また、この表示システムＳ１を用いることで、複数の表示器１の間における表示品位のバラツキが抑制されたマルチディスプレイとなる。
【００６６】
（第２実施形態）
第２実施形態の表示システムについて、図６を参照して述べる。
【００６７】
図６では、経過時間と相対輝度との関係を示すと共に、ある経過時間ｔにおける各画素の相対輝度を白抜きの丸印で、表示器１を構成する各画素のうち最も相対輝度が低下した画素の推定劣化曲線（以下「最低劣化曲線」という）を実線で示している。また、図６では、（ｂ）に示す第２表示器１２を統合補正の基準である基準表示器とし、（ａ）、（ｃ）に示す他の表示器１においては、基準表示器の最低劣化曲線を破線で示すと共に、各画素の補正による相対輝度の調整方向を白抜き矢印で示している。
【００６８】
本実施形態の表示システムは、図６に示すように、統合補正量決定部５による統合補正での基準表示器および対象表示器における補正処理が異なる点において、上記第１実施形態と相違する。本実施形態では、この相違点について主に説明する。
【００６９】
本実施形態では、統合補正における基準表示器は、複数の表示器１のうち最も相対輝度が低下した画素を有する表示器１とされる。具体的には、図６（ａ）〜（ｃ）に示す例では、各表示器１それぞれの最低劣化曲線を比べたとき、第２表示器１２が最も相対輝度の低下が大きいものを有しているため、基準表示器は、第２表示器１２である。
【００７０】
基準表示器である第２表示器１２では、図６（ｂ）に示すように、各画素のうち最も相対輝度が低下した画素（以下、本実施形態においては「基準画素」という）と異なる画素は、基準画素の輝度と同程度の輝度となるようにその補正量が調整される。
【００７１】
一方、対象表示器である他の表示器１、すなわち第１表示器１１、第ｎ表示器１ｎでは、図６（ａ）、（ｃ）に示すように、これらを構成する各画素は、基準画素の輝度と同程度の輝度となるようにその補正量が調整される。すなわち、対象表示器では、基準表示器の基準画素の推定劣化量に基づいて決定された統合補正量により、各画素の補正が行われる。
【００７２】
つまり、本実施形態では、統合補正量決定部５は、最も相対輝度が低下した画素を基準画素として、基準画素を有する表示器１の他の画素および他の表示器１の各画素について、補正量を調整し、全画素の輝度を同程度とする統合補正を行う。
【００７３】
本実施形態によれば、上記第１実施形態と同様に、複数の表示器１の一部または全部の表示品位の差を低減する効果が得られる表示システムとなる。また、本実施形態では、最も相対輝度が低下した画素を基準とするため、全体的に各表示器１の輝度が低くなるものの、上記第１実施形態に比べて、消費電力の低減効果が高くなると共に、各画素への通電による負荷が減少し、長寿命化することが期待される。
【００７４】
（第３実施形態）
第３実施形態の表示システムについて、図７を参照して述べる。
【００７５】
図７では、図５と同様に、経過時間と相対輝度との関係を示すと共に、ある経過時間ｔにおける各画素の相対輝度を白抜きの丸印で、表示器１を構成する各画素のうち最も相対輝度が高い画素の劣化曲線（以下「最高劣化曲線」という）を実線で示している。また、図７では、（ｃ）に示す第ｎ表示器１ｎを統合補正の基準である基準表示器とし、（ａ）、（ｂ）に示す他の表示器１においては、基準表示器の最高劣化曲線を破線で示すと共に、各画素の補正による相対輝度の調整方向を白抜き矢印で示している。
【００７６】
本実施形態の表示システムは、図７に示すように、統合補正量決定部５による統合補正での基準表示器および対象表示器における補正処理が異なる点において、上記第１実施形態と相違する。本実施形態では、この相違点について主に説明する。
【００７７】
本実施形態では、統合補正における基準表示器は、複数の表示器１のうち最も相対輝度が低下した画素を有する表示器１とされる。具体的には、図７（ａ）〜（ｃ）に示す例では、各表示器１それぞれの最低劣化曲線を比べたとき、第ｎ表示器１ｎが最も相対輝度の低下が小さいものを有しているため、基準表示器は、第ｎ表示器１ｎである。
【００７８】
基準表示器である第ｎ表示器１ｎでは、図７（ｃ）に示すように、各画素のうち最も相対輝度が高い画素（以下、本実施形態においては「基準画素」という）と異なる画素は、基準画素の輝度と同程度の輝度となるようにその補正量が調整される。
【００７９】
一方、対象表示器である他の表示器１、すなわち第１表示器１１、第２表示器１２では、図７（ａ）、（ｂ）に示すように、これらを構成する各画素は、基準画素の輝度と同程度の輝度となるようにその補正量が調整される。すなわち、対象表示器では、基準表示器の基準画素の推定劣化量に基づいて決定された統合補正量により、各画素の補正が行われる。
【００８０】
つまり、本実施形態では、統合補正量決定部５は、最も相対輝度が高い画素を基準とし、基準画素を有してなる表示器１および他の表示器１の全画素を基準画素と同程度の輝度に合わせるように補正量を調整する統合補正を実行する。
【００８１】
本実施形態によれば、上記第１実施形態と同様に、複数の表示器１の一部または全部の表示品位の差を低減する効果が得られる表示システムとなる。また、本実施形態では、最も相対輝度が高い画素を基準とするため、上記第１実施形態に比べて、消費電力が高くなるものの、全体的に各表示器１の輝度が高くなり、視認性が高くなることが期待される。
【００８２】
（他の実施形態）
なお、上記した各実施形態に示した表示システムおよびこれを用いたマルチディスプレイは、本発明の一例を示したものであり、上記の各実施形態に限定されるものではなく、特許請求の範囲に記載した範囲内において適宜変更が可能である。
【００８３】
上記各実施形態では、それぞれ統合補正量決定の例を挙げたが、各表示器１の一部または全部の間における表示品位の差を低減できればよく、これらの例に限定されるものではない。
【００８４】
例えば、統合補正量決定部５は、複数の表示器１のうち統合補正の対象となる各表示器１の平均劣化曲線を平均して得られる劣化曲線を基準として、当該各表示器１の統合補正量を決定してもよい。統合補正量の基準となるものは、上記に限られず、統合補正の対象となる各表示器１の平均劣化曲線のうち最大のものでもよいし、最低劣化曲線を平均して得られる劣化曲線であってもよいし、最低劣化曲線のうち最大のものでもよい。また、統合補正の対象となる各表示器１の最大劣化曲線を平均したものや最大劣化曲線のうち最小のものが、統合補正量決定の基準とされてもよい。このように、統合補正量の基準は、適宜変更されてもよい。
【００８５】
まとめると、統合補正量決定部５は、複数の表示器１のうち一部または全部の表示器１を構成する複数の画素の統合補正量を決定する際に、当該一部または全部の表示器１における複数の画素の推定劣化量を比較した上で、推定劣化量の基準を定める。そして、統合補正量決定部５は、定めた推定劣化量の基準に基づき、複数の表示器１にわたる各画素についての統合補正量を決定する。
【符号の説明】
【００８６】
１  表示器
２  通電時間取得部
３  温度情報取得部
４  劣化量推定部
５  統合補正量決定部
６  補正部
【図１】
2020021031.tif 000003
【図２】
2020021031.tif 000004
【図３】
2020021031.tif 000005
【図４】
2020021031.tif 000006
【図５】
2020021031.tif 000007
【図６】
2020021031.tif 000008
【図７】
2020021031.tif 000009